(57)【要約】【課題】気管内挿管チューブを沿わせて固定することが容易で、口腔内の粘膜等に潰瘍が発生するリスクを低減することのできるバイトブロックを提供する。【解決手段】口唇部位における気管内挿管チューブの閉塞防止および挿入位置のずれを防止するためのバイトブロック１を、軸方向に延びる筒状の本体１１と、この筒状本体の外面１１ａに配設された上顎用フランジ部１２ａと下顎用のフランジ部１２ｂとから構成し、各フランジ部１２ａ，１２ｂを、筒状本体１１の軸方向に互いに距離を空けた位置に配置する。【選択図】図１
0003168827.tif 000002
【実用新案登録請求の範囲】
【請求項１】
口唇部位における気管内挿管チューブの閉塞防止および挿入位置のずれを防止するためのバイトブロックであって、軸方向に延びる筒状の本体と、この筒状本体の外面に配設された上顎用フランジ部と下顎用のフランジ部とを備え、これら上顎用フランジ部と下顎用のフランジ部とは、上記筒状本体の軸方向から見た場合に、この軸を挟んで対向する位置に設けられ、各フランジ部が、上顎歯列と下顎歯列の噛み合わせのずれに応じて上記筒状本体の軸方向に互いに距離を空けて配設されていることを特徴とするバイトブロック。
【請求項２】
上記筒状本体の軸方向一端側に、外径が端部に向けて徐々に小径となる挿入用先細部が設けられ、上記上顎用フランジ部および下顎用フランジ部の少なくとも一方が、その筒状本体側の根元部から外径側の先端部にかけて上記先細部側に傾斜する形状に形成されていることを特徴とする請求項１に記載のバイトブロック。
【請求項３】
上記上顎用フランジ部および下顎用フランジ部の少なくとも一方が、上顎前歯列または下顎前歯列のならびに沿って湾曲する形状に形成されていることを特徴とする請求項１または２に記載のバイトブロック。
【請求項４】
上記上顎用フランジ部と下顎用フランジ部とは、上記筒状本体の軸方向から見た場合、これら各フランジ部の該筒状本体周りの周方向位置が、互いに重ならないように形成され、上顎用フランジ部と下顎用フランジ部とに挟まれた周方向の領域が、気管内挿管チューブを上記筒状本体に沿って軸方向に挿通させるためのチューブ収容部に形成されていることを特徴とする請求項１〜３のいずれか一項に記載のバイトブロック。
【考案の詳細な説明】
【技術分野】
【０００１】
本考案は、患者等の口から気管に向けて挿入された気管内挿管チューブを保護するために用いられるバイトブロックに関する。
【背景技術】
【０００２】
全身麻酔下の手術時や、自発呼吸困難な重症患者の治療の際には、患者等の口から気管に向けてチューブ（気管内挿管チューブ）を挿入し、人工呼吸器等を用いて呼吸を補助することが行われる。その際、挿入した気管内挿管チューブを患者等が噛み潰すことによるチューブの閉塞や、このチューブの位置ずれを防止するために、「バイトブロック」と呼ばれる医療用器具が使用される（特許文献１，２等を参照）。
【０００３】
図３は、従来の一般的なバイトブロックの構成を示す図である。
この図に示すバイトブロック３０は、略筒状の本体３１と、この本体３１の外周面３１ａに配設されたフランジ部３２とからなり、樹脂やゴム等の弾性材料または硬質材料を用いて、噛み潰されない程度の剛性を有するように形成されている。
【０００４】
上記筒状の本体３１は、全体として中空の円筒状で、その長手方向（軸方向）の一端側（使用時の先端側であり、咽頭側）は、口腔への挿入が容易なように、外径が端部に向けて徐々に小径（テーパー状）となる先細部３１ｃに形成されている。また、その外周面３１ａは、円状，楕円状，小判状等、口（唇）を開いた時の形状に略沿った形状に形成されているとともに、その内周（中空部３１ｂ）には、口腔内の唾液の吸引等の処置に利用することのできる孔が形成されている。
【０００５】
上記バイトブロック３０のフランジ部３２は、上記筒状本体３１の外周面３１ａにおける他端側（使用時の後端側であり、口唇側）の位置に、この本体の外周面３１ａに一体に、あるいは、後から取り付けて配設されており、その形状は、上記外周面３１ａから突出する鍔（つば）状または略円形，楕円形等の円盤状に形成されている。このフランジ部３２には、図３のような、切り欠き（へこみ）形状のチューブ収容部３２ａが設けられており、先に気管に挿入されている上記気管内挿管チューブを、このチューブ収容部３２ａの凹形状に嵌め入れることにより、気管内挿管チューブを位置決めできるようになっている。
【０００６】
上記バイトブロック３０を使用する際は、このバイトブロック３０の口腔内への挿入に先立って、上記気管内挿管チューブが患者等の気管に挿入される。つぎに、上記バイトブロックの筒状本体３１の先端（先細部３１ｃ）側を、患者等に銜えさせるようにして口腔内に挿入する。そして、図４に示すように、上記バイトブロックのフランジ部３２の上端および下端を、患者等の上唇と上顎前歯との間、および、下唇と下顎前歯との間（両者とも「口腔前庭」という）にそれぞれ挟み込んだ状態で、このフランジ部３２のチューブ収容部３２ａを、口腔左右方向の適切な側に回動させて配置し、上記チューブ収容部３２ａに気管内挿管チューブ４０を嵌め入れる。そして、その状態で、テープやバンド等を用いて、バイトブロック３０と気管内挿管チューブ４０とを固定することにより、このチューブ４０の保護（噛み潰し防止）と位置ずれの防止が実現されている。
【０００７】
なお、上記チューブ収容部３２ａは、上記フランジ部３２を貫通する穴として形成される場合もある。他にも、上記チューブ収容部３２ａは、上記筒状本体３１の外周面３１ａに、長手方向に沿った平坦部や凹状の溝として設けられる場合や、上記筒状本体の内周の中空部３１ｂが兼用する場合もある。上記兼用する場合、気管チューブや気管内挿管チューブ等は、上記中空部３１ｂに挿通される。
【先行技術文献】
【特許文献】
【０００８】
【特許文献１】特開平８−４７５３５号公報
【特許文献２】特開２００１−１９０６７５号公報
【考案の概要】
【考案が解決しようとする課題】
【０００９】
ところで、バイトブロックは、使用する際に、上記気管内挿管チューブがバイトブロックに沿わず、その固定が難しい場合がある。この理由は以下のように考えられる。すなわち、バイトブロックを口腔内に挿入する際は、このバイトブロックのフランジ部を口唇と前歯との間（口腔前庭）に差し入れるために、通常、患者等の口（口唇）を大きく開けた状態（下顎が普段の位置より手前に引き出された状態）で行う。その後、上記バイトブロックおよび気管内挿管チューブの固定のために、患者等の口を、上下前歯がバイトブロックの筒状本体に当接するまで閉じさせるのであるが、この際、下顎が普段の位置まで後退するため、上顎前歯と下顎前歯の噛み合わせ（咬み合わせ）にずれが生じる。
【００１０】
この時、従来のバイトブロック３０のフランジ部３２は、筒状本体の軸方向同じ位置に、先に述べたような鍔状または円盤状に形成されているため、図４に示すように、上記噛み合わせのずれに伴ってこのフランジ部３２が傾き、結果的に筒状本体を含むバイトブロック３０全体が傾いて口腔内に留置されることになる。このように、バイトブロック３０が傾いて留置されると、口腔内に先に挿入されている気管内挿管チューブ４０と角度が一致せず、上記フランジ部３２のチューブ収容部３２ａに、この気管内挿管チューブ４０が嵌まり難くなってしまう。
【００１１】
また、従来のバイトブロックは、上で述べたように、上記筒状本体３１の先端部（咽頭側先細部３１ｃ）が上顎方向（または、まれに下顎方向）に向かって移動することから、この先端部が口腔内で接触した部位（図４中のＸ位置）を圧迫するため、この部位に潰瘍が発生してしまうおそれがある。さらに、この傾きにより、フランジ部３２が上唇（まれに下唇）を圧迫し、口唇部内側（図４中のＹ，Ｙ’位置）にも潰瘍が発生する場合も報告されており、その改善が望まれている。
【００１２】
本考案は、このような事情に鑑みてなされたもので、気管内挿管チューブを沿わせて固定することが容易で、口腔内の粘膜等に潰瘍が発生するリスクを低減することのできるバイトブロックを提供することをその目的とする。
【課題を解決するための手段】
【００１３】
上記の目的を達成するため、本考案は、口唇部位における気管内挿管チューブの閉塞防止および挿入位置のずれを防止するためのバイトブロックであって、軸方向に延びる筒状の本体と、この筒状本体の外面に配設された上顎用フランジ部と下顎用のフランジ部とを備え、これら上顎用フランジ部と下顎用のフランジ部とは、上記筒状本体の軸方向から見た場合に、この軸を挟んで対向する位置に設けられ、各フランジ部が、上顎歯列と下顎歯列の噛み合わせのずれに応じて上記筒状本体の軸方向に互いに距離を空けて配設されていることを特徴とする。
【００１４】
また、本考案のバイトブロックは、上記筒状本体の軸方向一端側に、外径が端部に向けて徐々に小径となる挿入用先細部が設けられ、上記上顎用フランジ部および下顎用フランジ部の少なくとも一方が、その筒状本体側の根元部から外径側の先端部にかけて上記先細部側に傾斜する形状に形成されている構成（請求項２）を好適に採用する。
【００１５】
さらに、本考案のバイトブロックは、上記上顎用フランジ部および下顎用フランジ部の少なくとも一方が、上顎前歯列または下顎前歯列のならびに沿って湾曲する形状に形成されていても良い（請求項３）。
【００１６】
一方、本考案のバイトブロックは、上記上顎用フランジ部と下顎用フランジ部とは、上記筒状本体の軸方向から見た場合、これら各フランジ部の該筒状本体周りの周方向位置が、互いに重ならないように形成され、上顎用フランジ部と下顎用フランジ部とに挟まれた周方向の領域が、気管内挿管チューブを上記筒状本体に沿って軸方向に挿通させるためのチューブ収容部に形成されている構成（請求項４）を好適に採用することができる。
【考案の効果】
【００１７】
本考案は、使用時に、口腔前庭に配置されるバイトブロックのフランジ部を、従来品における１枚の鍔型（円盤型）から、上顎用と下顎用の２つに分割し、これら分割型の各フランジ部の形成位置に、人が口を閉じた時に生じる「上顎前歯と下顎前歯の噛み合わせの差」に対応した前後差を設けることにより、所期の目的を達成しようとするものである。
【００１８】
すなわち、本考案のバイトブロックは、筒状本体の外周外面に、上顎用および下顎用の２つのフランジ部が設けられ、これら各フランジ部が、上顎前歯と下顎前歯の噛み合わせ（咬み合わせ）の差に応じて、上記筒状本体の軸方向に距離を空けて（軸方向の位置をずらせて）形成されている。そのため、このバイトブロックは、上記上顎用フランジ部を上唇と上顎前歯との間に差し入れ、下顎用フランジ部を下唇と下顎前歯との間に差し入れて、これら上顎前歯と下顎前歯とが筒状本体に当たるまで口が閉じられた場合（筒状本体が口腔内に留置された場合）でも、この筒状本体の先端部（奥側）が咽頭側に向かって真っ直ぐに挿入された状態を保つ。そのため、このバイトブロックは、口腔内に先に挿入されている気管内挿管チューブと、その挿入角度が一致し、簡単かつ容易に上記気管内挿管チューブをバイトブロックに沿わせて配置することができる。したがって、本考案のバイトブロックは、気管内挿管チューブを所定位置に固定することが容易になるとともに、歯等による噛み潰しを確実に防止することができる。
【００１９】
さらに、このバイトブロックは、上記のように、口が閉じられた場合でも、この筒状本体の先端部（奥側）が咽頭側に向かって真っ直ぐに挿入された状態を保つことから、その先端部が口腔内の粘膜等に接触したりこれを圧迫したりすることが抑制される。これにより、本考案のバイトブロックは、口腔内の粘膜等に潰瘍が発生するリスクを低減することができる。
【００２０】
また、本考案のバイトブロックのなかでも、上記筒状本体の軸方向一端側に、外径が端部に向けて徐々に小径となる挿入用先細部が設けられ、上記上顎用フランジ部および下顎用フランジ部の少なくとも一方が、その筒状本体側の根元部から外径側の先端部にかけて上記先細部側に傾斜する形状に形成されているバイトブロックは、上記上顎用フランジ部または下顎用フランジ部が、上顎前歯または下顎前歯の形状により一致したものとなり、気管内挿管チューブを所定位置に固定することがさらに容易になる。しかも、上記上顎用フランジ部または下顎用フランジ部が、口腔前庭や口唇部内側等を圧迫することが緩和され、この部位に潰瘍が発生することが、より確実に防止される。
【００２１】
さらに、本考案のバイトブロックのなかでも、上記上顎用フランジ部および下顎用フランジ部の少なくとも一方が、上顎前歯列または下顎前歯列のならびに沿って湾曲する形状（すなわち、上記挿入用先細部側に傾斜し、かつ、口腔前庭の形状に沿って口の左右方向に回りこむ形状）に形成されているバイトブロックは、上顎用フランジ部および／または下顎用フランジ部が、前歯および口腔前庭の形状により完全に一致する。したがって、本考案のバイトブロックは、気管内挿管チューブの固定が、より容易になるとともに、口腔内の粘膜等に潰瘍が発生するのをほぼ完全に抑制することができる。
【００２２】
また、本考案のバイトブロックにおいて、上記上顎用フランジと下顎用フランジ部とが、上記筒状本体の軸方向から見た場合、これら各フランジ部の該筒状本体周りの周方向位置が、互いに重ならないように形成され、上顎用フランジ部と下顎用フランジ部とに挟まれた周方向の領域が、気管内挿管チューブを上記筒状本体に沿って軸方向に挿通させるためのチューブ収容部に形成されているバイトブロックは、このバイトブロックが保護すべき気管内挿管チューブを、該バイトブロックの左右位置のどちらにでも挿通させ、このバイトブロックに沿って簡単に固定することができる。
【００２３】
なお、上顎前歯と下顎前歯の噛み合わせ方向と、上記気管内挿管チューブの収容位置を考慮すると、上顎用フランジ部と下顎用フランジ部とは、上記筒状本体の軸方向の中心軸を挟んで対向する位置に配置し、これらに挟まれた筒状本体左右の領域を、上記チューブ収容部とすることが、構成上、最も合理的な配置である。
【００２４】
また、上記上顎用フランジ部と下顎用フランジ部の少なくとも一方を、上記筒状本体の軸方向に移動可能に形成しても良い。このようにフランジ部を軸方向へスライド移動させることにより、上記上顎前歯と下顎前歯の噛み合わせの「個人差」、すなわち口唇形状や口腔内形状の個体差に、よりきめ細かく対応することが可能になり、もって、口腔内における潰瘍発生のリスクを、より低減することができる。
【００２５】
そして、上記バイトブロックには、上記上顎用フランジ部と下顎用フランジ部とを識別するためのマークを形成しても良い。このマークにより、バイトブロックの挿入時の方向（上下方向）を間違えることが防止される。したがって、このバイトブロックは、誰でも、それを適正な位置に留置でき、医療ミス等を防止することが可能になる。
【図面の簡単な説明】
【００２６】
【図１】本考案の第１実施形態におけるバイトブロックの上面図（ａ）、側面図（ｂ）および挿入方向から見た軸方向端面図（ｃ）である。
【図２】本考案の第２実施形態におけるバイトブロックの上面図（ａ）、側面図（ｂ）である。
【図３】従来のバイトブロックの構成を示す斜視図である。
【図４】従来のバイトブロックの使用状態を説明する図である。
【考案を実施するための形態】
【００２７】
つぎに、本考案の実施の形態を、図面にもとづいて詳しく説明する。ただし、本考案は、この実施の形態に限定されるものではない。
【００２８】
図１は、本考案の第１実施形態におけるバイトブロック１の構成を示す図であり、（ａ）は上面図、（ｂ）は側面図、（ｃ）は挿入方向の軸方向から見た端面図である。なお、図中のｚ方向は、このバイトブロック１使用時の上下方向を表す。また、筒状の本体１１の軸方向（一点鎖線）は、バイトブロック１の長手方向（ｘ方向）と一致しており、口唇への挿入方向を示すものとする。
【００２９】
この第１実施形態におけるバイトブロック１も、基本的な構造は従来のバイトブロック（３０）と同様であり、略筒状の本体１１と、この本体１１の外面１１ａに配設されたフランジ（１２ａ，１２ｂ）とからなる。上記バイトブロック１の特徴は、図１（ｃ）のように、フランジが上下２つのフランジ部（上顎用フランジ部１２ａと下顎用フランジ部１２ｂ）に分けて形成され、これら上顎用フランジ部１２ａと下顎用フランジ部１２ｂとが、図１（ｂ）のように、上記筒状本体１１の軸方向（図示ｘ方向）に距離Ｌ（本例においては５ｍｍ）を空け、位置をずらして配設されている点である。
【００３０】
また、本第１実施形態におけるバイトブロック１のもう一つの特徴は、上記筒状本体１１の軸方向一端側（図示ｘ側）に、外径がこの端部に向けて徐々に小径となる挿入用先細部１１ｃが設けられ、図示上側の上顎用フランジ部１２ａが、筒状本体１１側の根元部（１２ａ１）から外径側の先端部（１２ａ２）にかけて、上顎前歯列の傾きに沿った所定の角度θ１（本例においては１０度）傾斜するように形成されており、図示下側の下顎用フランジ部１２ｂも、筒状本体１１側の根元部（１２ｂ１）から外径側の先端部（１２ｂ２）にかけて、下顎前歯列の傾きに沿った所定の角度θ２（本例においては５度）傾斜するように形成されている点である。
【００３１】
なお、上記上顎用フランジ部１２ａと下顎用フランジ部１２ｂとの間の軸方向距離Ｌの好適な範囲は、大人用，子供用等により異なるが、一般的に１〜２０ｍｍ、好ましくは２〜１０ｍｍ、さらに好ましくは３〜６ｍｍ程度である。
【００３２】
また、上記上顎用フランジ部１２ａが、筒状本体１１側の根元部（１２ａ１）から外径側の先端部（１２ａ２）にかけて、筒状本体１１の先細部１１ｃ側に傾斜する角度θ１は１〜３０度が好ましく、さらに好ましくは５〜１５度、理想的には１０度前後である。同様に、上記下顎用フランジ部１２ｂが、筒状本体１１側の根元部（１２ｂ１）から外径側の先端部（１２ｂ２）にかけて、筒状本体１１の先細部１１ｃ側に傾斜する角度θ２は１〜３０度が好ましく、さらに好ましくは１〜１０度、理想的には５度前後である。
【００３３】
上記バイトブロック１の構成を、より詳しく説明すると、上記筒状の本体１１は、全体として中空の筒状で、その長手方向（軸方向）の一端側（使用時の先端側であり咽頭側：図示右側）は、口腔への挿入が容易なように、小径テーパー状の先細部１１ｃになっている。さらに、その外形は、その外面１１ａ（軸方向断面）が略方形状であり、その角部が丸められた形状をしている。そして、筒状本体１１の両側面には、気管内挿管チューブを沿わせて固定するための凹部１１ｄ，１１ｄが形成されているとともに、その内周（中空部１１ｂ）には、口腔内の唾液の吸引等の処置に利用することのできる孔が形成されている。なお、この中空部１１ｂ内にチューブを挿通させることもできる。
【００３４】
また、上記上顎用フランジ部１２ａと下顎用フランジ部１２ｂとは、図１（ｃ）のように、筒状本体１１の軸方向（ｘ方向）から見た場合、上記筒状本体１１周りの周方向位置が、互いに重ならないように（この例の場合は、中心軸を挟んで対向する位置に）形成されており、これら上顎用フランジ部１２ａと下顎用フランジ部１２ｂとに挟まれた、筒状本体１１周辺の周方向領域（空間Ｓ，Ｓ’）が、上記凹部１１ｄ，１１ｄと一体になって、気管内挿管チューブを上記筒状本体１１に沿って軸方向に挿通させることのできる「チューブ収容部」となっている。
【００３５】
なお、バイトブロック１を、筒状本体１１の軸方向（ｘ方向）から見た場合、上記筒状本体１１の外側（口唇外側）端面には、図１（ｃ）のように、このバイトブロックの使用方向の上下（天地）を示すマークＭが設けられている。
【００３６】
以上のような構成のバイトブロック１を使用する際も、このバイトブロック１の口腔内への挿入に先立って、気管内挿管チューブが患者等の気管に挿入される。ついで、上記バイトブロックの筒状本体１１の先端側（図示右側の先細部１１ｃ）を、患者等に銜えさせるようにして口腔内に挿入する。そして、上記バイトブロック１の上顎用フランジ部１２ａを、患者等の上唇と上顎前歯との間に、下顎用フランジ部１２ｂを、下唇と下顎前歯との間にそれぞれ挟み込み（図４参照）、この状態で、上記筒状本体１１側面の凹部１１ｄ，１１ｄのどちらかに、気管内挿管チューブを嵌め入れるように配置する。
【００３７】
ここで、上記バイトブロック１の口腔内への挿入に際しては、先に述べたように、筒状本体１１の口唇外側の端面（すなわち、患者等の口唇により隠れない位置）に、上記バイトブロック１の使用方向の上下（天地）を示すマークＭが設けられていることから、このバイトブロック１を挿入する医療従事者等は、その挿入方向を間違うことなく、該バイトブロック１を適正な方向に挿入することができる。
【００３８】
また、バイトブロック１のフランジが、上顎専用のフランジ部１２ａと下顎専用のフランジ部１２ｂに分割され、これらの間に、人が口を閉じた時に生じる「上顎前歯と下顎前歯の噛み合わせの差」に対応した軸方向の前後差（距離Ｌ）が設けられていることから、このバイトブロック１は、上記のように口腔内に留置され、患者等の口が閉じられた場合でも、上記筒状本体１１の先端部（奥側）が咽頭側に向かって真っ直ぐに挿入された状態を保つ。そのため、このバイトブロック１は、気管内挿管チューブが、上記筒状本体１１側面の凹部１１ｄおよびチューブ収容部に沿いやすく、上記気管内挿管チューブを簡単に固定することができる。
【００３９】
さらに、本実施形態のバイトブロック１は、上顎用フランジ部１２ａと下顎用フランジ部１２ｂとが、「上顎前歯と下顎前歯の噛み合わせの差」に起因して生じる口腔前庭の傾きに沿って配置されるため、上唇と下唇およびこれら口唇部内側にも圧迫が加わらず、無理なく銜え続けることができる。その結果、本実施形態におけるバイトブロック１は、長時間使用しても、口腔内粘膜や口唇部内側に潰瘍等の発生がなく、安心して使い続けることができる。
【００４０】
そして、上顎用フランジ部１２ａと下顎用フランジ部１２ｂとに挟まれた領域（空間Ｓ，Ｓ’）がチューブ収容部に形成されていることから、上記気管内挿管チューブを筒状本体１１に沿って、その左右のどちらにでも挿通させることができる。
【００４１】
つぎに、本考案の第２実施形態について説明する。
図２は、本考案の第２実施形態におけるバイトブロック２の構成を示す図であり、（ａ）は上面図、（ｂ）は側面図である。なお、第１実施形態と同様、図示の上下方向（ｚ方向）は、このバイトブロック２使用時の上下方向を示す。また、筒状の本体の軸方向（一点鎖線）は、バイトブロック２の長手方向（ｘ方向）と一致しているものとする。
【００４２】
本実施形態におけるバイトブロック２が、先の第１実施形態におけるバイトブロック１と異なる点は、上顎用フランジ部２２ａと下顎用フランジ部２２ｂとが、筒状本体２１の軸方向にスライド移動可能に形成されている点である。なお、図２中の符号２１ｅは、上記筒状本体１の外面２１ａに設けられ、各フランジ部２２ａ，２２ｂをスライド移動可能に支承する凹溝であり、符号２１ｆは、各フランジ部２２ａ，２２ｂの軸方向の位置決め（仮固定）するための多段段部である。
【００４３】
このように各フランジ部２２ａ，２２ｂを軸方向へスライド移動可能とすることにより、上顎前歯と下顎前歯の噛み合わせの「個人差」、すなわち口唇形状や口腔内形状の個体差に、よりきめ細かく対応することが可能になる。したがって、このバイトブロック２は、気管内挿管チューブのバイトブロック１に沿った固定が、より容易になるとともに、口腔内における潰瘍発生のリスクを、さらに低減することができる。
【００４４】
また、本実施形態におけるバイトブロック２のもう一つの特徴は、図２（ｂ）のように、上記スライド移動する上顎用フランジ部２２ａが、上顎前歯列のならびの外側形状に沿って湾曲する形状に形成され、下顎用フランジ部２２ｂが、下顎前歯列のならびの外側形状に沿って湾曲する形状に形成されている点である。すなわち、上記上顎用フランジ部２２ａと下顎用フランジ部２２ｂとは、図２のように、上記挿入用先細部側に傾斜し、かつ、口腔前庭の形状に沿って口の左右方向に回りこむ形状に形成されている。この構成によって、上顎用フランジ部２２ａおよび下顎用フランジ部２２ｂの口腔前庭や口唇部内側等に対する圧迫がより緩和され、本実施形態におけるバイトブロック２は、この部位における潰瘍の発生をさらに抑制することができる。
【００４５】
なお、上記２つの実施形態において、各バイトブロック１，２の筒状本体１１，２１および各フランジ部１２ａ，１２ｂ，２２ａ，２２ｂ等を構成する材料としては、シリコンゴムや、ブチルゴム，スチレン・ブタジエンゴム，二トリルゴムなど、ある程度の硬さと弾力性を両方兼ね備えるものが好ましい。もちろん、その他のゴム類の他、軟質塩ビ等のような可撓性を有する樹脂、あるいは、ポリエチレン（ＰＰ），ポリプロピレン（ＰＥ），ポリアミド（ＰＡ），ＰＥＴ，ＰＥＮや塩化ビニール樹脂等、公知のプラスチックのなかで、人体に無害なものを使用することも可能である。
【００４６】
さらに、上記シリコンゴム等のゴム類を材料として使用する場合、形成する部位によってその硬さ（ＪＩＳ  Ｋ  ６２５３に準拠したショアＡ硬度  デュロメータ−タイプＡで測定）を変えても良い。例えば、人体に接触する各フランジ部と筒状本体の表層（外層）を、硬度２０〜４０°（ショアＡ）のシリコンゴムから形成し、筒状本体の内層を、歯の噛み潰しの圧力に耐える硬度６０〜８０°（ショアＡ）のシリコンゴムから形成するようにしても良い。
【産業上の利用可能性】
【００４７】
本考案のバイトブロックは、患者等の口から気管に向けて挿入された気管内挿管チューブを保護する用途に適する。
【符号の説明】
【００４８】
１  バイトブロック
２  バイトブロック
１１  筒状本体
１１ａ  外面
１１ｂ  中空部
１１ｃ  先細部
１１ｄ  凹部
１２ａ  上顎用フランジ部
１２ａ１  根元部    １２ａ２  先端部
１２ｂ  下顎用フランジ部
１２ｂ１  根元部    １２ｂ２  先端部
２１  筒状本体
２１ａ  外面
２１ｂ  中空部
２１ｃ  先細部
２１ｄ  凹部
２１ｅ  凹溝
２１ｆ  多段段部
２２ａ  上顎用フランジ部
２２ｂ  下顎用フランジ部
３０  バイトブロック
３１  筒状本体
３１ａ  外周面
３１ｂ  中空部
３１ｃ  先細部
３２  フランジ部
３２ａ  チューブ収容部
４０  チューブ
Ｓ，Ｓ’  チューブ収容部
Ｍ  マーク
【図１】
0003168827.tif 000003
【図２】
0003168827.tif 000004
【図３】
0003168827.tif 000005
【図４】
0003168827.tif 000006